(57)【要約】【課題】ライナープレートの壁面脇の最適な位置に足場を設置することができ、ライナープレートの内外に足場を設置する場合に共通に利用できるライナープレート付設用足場設置装置を提供する。【解決手段】ライナープレートの上端部に取り付けられる第１の構成部材（構成部材２１）と、この第１の構成部材に位置調整可能に固定されて足場板を設置可能とする第２の構成部材（構成部材９）とから構成される。第１の構成部材（構成部材２１）は、ライナープレートの上端部に係止固定させる係止固定部２５と、位置調整部２２と、ポール装着部２８とを備え、第２の構成部材（構成部材９）は、位置調整部２２に着脱可能に固定される基体部１０と、この基体部１０に設けられてライナープレートから離れる方向へ突出して足場板を載置可能とする張出部１３と、この張出部１３の突出方向先端に設けられるポール装着部１６とを備える。【選択図】図２
2010150909.tif 000002
【特許請求の範囲】
【請求項１】
立設されたライナープレートの上端部に取り付けられる第１の構成部材とこの第１の構成部材に位置調整可能に固定されて足場板を設置可能とする第２の構成部材とを有して構成されるライナープレート付設用足場設置装置であって、
前記第１の構成部材は、前記ライナープレートの上端部に係止固定させる係止固定部と、上下に延設されて前記ライナープレートの壁面に当接すると共に前記第２の構成部材との固定位置を上下方向に調整可能とする位置調整部と、前記係止固定部に近接して設けられ、ポールを装着可能とするポール装着部とを備え、
前記第２の構成部材は、前記ライナープレートの壁面に沿って上下に延設され、前記位置調整部に着脱可能に固定される基体部と、この基体部に設けられ、前記ライナープレートから離れる方向へ突出して前記足場板を載置可能とする張出部と、この張出部の突出方向先端に設けられ、ポールを装着可能とするポール装着部とを備える
ことを特徴とするライナープレート付設用足場設置装置。
【請求項２】
前記第１の構成部材の前記位置調整部には上下方向に複数の通孔が形成されており、前記第２の構成部材の前記基体部に形成された通孔と前記位置調整部の任意の通孔とを整合させて、整合させた両通孔に固定具を挿着させることで前記基体部を前記位置調整部に着脱可能に固定することを特徴とする請求項１記載のライナープレート付設用足場設置装置。
【請求項３】
前記第１の構成部材の係止固定部は、前記位置調整部の上部においてライナープレートの上端部のフランジに係止可能に突設された当接部と、この当接部の先端からライナープレートの壁面に沿って下方へ延び、前記位置調整部と共に前記ライナープレートを挟持する差し込み部とを有して構成され、前記当接部を前記フランジに固定手段にて固定させることを特徴とする請求項１又は２記載のライナープレート付設用足場設置装置。
【請求項４】
前記第１の構成部材の前記位置調整部は、上下に延設される長尺かつ平板状に形成され、前記第２の構成部材の前記基体部は、前記位置調整部に重ね合わせ可能に上下に延設された長尺かつ平板状に形成されていることを特徴とする請求項２のいずれかに記載のライナープレート付設用足場設置装置。
【請求項５】
前記第１の構成部材の係止固定部は、前記位置調整部の上部においてライナープレートの上端部のフランジに係止可能に突設された当接部により構成され、この当接部を前記フランジに固定手段にて固定させることを特徴とする請求項１又は２記載のライナープレート付設用足場設置装置。
【請求項６】
前記第１の構成部材の前記位置調整部は、上下に延設された対をなすガイド板によって構成され、前記第２の構成部材の前記基体部は、前記ガイド板間に上下に摺動可能に収容される角材によって構成されることを特徴とする請求項２記載のライナープレート付設用足場設置装置。
【請求項７】
前記第１及び第２の構成部材は前記ライナープレートに対して複数装着され、隣り合う２つの第２の構成部材のポール装着部に、対をなすポールとこれらポール間に架設された昇降用足場とを有して構成された梯子の前記ポールを装着させたことを特徴とする請求項１乃至６のいずれかに記載のライナープレート付設用足場設置装置。
【請求項８】
前記第１及び第２の構成部材は前記ライナープレートに対して複数装着され、隣り合う２つの第１の構成部材の前記ポール装着部に、ポールを連結して構成された対をなす昇降用手摺りの前記ポールを装着させたことを特徴とする請求項１乃至６のいずれかに記載のライナープレート付設用足場設置装置。
【発明の詳細な説明】
【技術分野】
【０００１】
この発明は、ライナープレートに付設されてライナープレートの壁面脇に足場を設置するために有用な足場設置装置に関する。
【背景技術】
【０００２】
電力業界において、鉄塔などの高い構造物を山の斜面に設置するにあたり、例えば特許文献１乃至４に示されるように、ライナープレートを土留め等の基礎工事で利用するようにしており、従来では、傾斜のきつい山の斜面に構造物を設置しようとする場合に、予め山の斜面を整地して平坦にし、その上で構造物の設置場所に立坑を掘削してライナープレートを配置するようにしていたが、近年においては、構造物の設置工事コストの削減及び自然環境の保護等の見地から、傾斜のきつい斜面に対してもそのまま立坑を掘削してライナープレートを配置するようにしている。
【０００３】
このようなライナープレートを配置した坑内での作業を円滑にするための足場の構造については、前記特許文献１乃至３に示されるような作業台、工事用足場、作業足場が公知となっている。
また、前記特許文献４に示されるように、ライナープレートの最上部にタラップ用踊り場を設置する場合に、ライナープレートの坑内に配置される足場以外に、ライナープレートの外側にも作業員が足場に昇降するためのステップを配置するようにした構成も公知となっている。
【先行技術文献】
【特許文献】
【０００４】
【特許文献１】実開平５−５４６４４号公報
【特許文献２】実開平６−８７５５７号公報
【特許文献３】特開平３−８１４６０号公報
【特許文献４】実用新案昇録第３１３２１４７号公報
【発明の概要】
【発明が解決しようとする課題】
【０００５】
ところで、傾斜のきつい斜面に設けた立坑にライナープレートを配置する場合においては、斜面の低い側ではライナープレートが大きく露出するので、計測作業や写真撮影作業等の安全性を確保する見地からライナープレートの露出した側の外側壁面にも足場を設置することが要望されている。この点、従来の特許文献１乃至３に示す作業台、工事用足場、作業足場の構造では、ライナープレートの坑内側の壁面に足場等を設置する構成であるため、ライナープレートの外側に設けるにあたってはそのまま採用することは困難である。
【０００６】
また、特許文献４に示すタラップ用踊り場の構造では、ステップはその支持板をライナープレートの最上部のフランジに支持させ、その上に蝶番を重ね合わせてボルト及びナットで固定するものであるが、ライナープレートの立坑からの露出寸法が大きくなる斜面の低い側では用いることができず、またライナープレートの外周の所定範囲に亘って足場を配置したい場合には対応することができないという不都合がある。
【０００７】
さらに、作業員が足場に対して昇降するための梯子や昇降用手摺りを必要に応じて兼ね備えることができれば、ライナープレートへ足場を設定するための種々の器具の設置時間が全体的に短縮化され、複数の器具を共通化することによりコストの削減も図ることができる。
【０００８】
本発明は、係る事情に鑑みてなされたものであり、ライナープレートの壁面脇に足場を設置可能とするもので、しかも、ライナープレートの最上部から地表までの露出寸法に差異があっても最適な位置に足場を設置することができ、更にライナープレートの内外を問わずに足場を設置する場合に利用でき、またライナープレートの坑内への出入りや足場に対する昇降に対して昇降を補助する機能を持たせることもできるライナープレート付設用足場設置装置を提供することを主たる課題としている。
【課題を解決するための手段】
【０００９】
上記課題を達成するために、本発明に係るライナープレート付設用足場設置装置は、立設されたライナープレートの上端部に取り付けられる第１の構成部材とこの第１の構成部材に位置調整可能に固定されて足場板を設置可能とする第２の構成部材とを有して構成される足場設置装置であって、前記第１の構成部材は、前記ライナープレートの上端部に係止固定させる係止固定部と、上下に延設されて前記ライナープレートの壁面に当接すると共に前記第２の構成部材との固定位置を上下方向に調整可能とする位置調整部と、前記係止固定部に近接して設けられ、ポールを装着可能とするポール装着部とを備え、前記第２の構成部材は、前記ライナープレートの壁面に沿って上下に延設され、前記位置調整部に着脱可能に固定される基体部と、この基体部に設けられ、前記ライナープレートから離れる方向へ突出して前記足場板を載置可能とする張出部と、この張出部の突出方向先端に設けられ、ポールを装着可能とするポール装着部とを備えることを特徴としている。
【００１０】
ここで、張出部は、基体部から略垂直に突出するメインフレームとこのメインフレームを支持するサブフレームとから構成するようにしても、基体部から略垂直に突出するフレーム材のみで構成するようにしてもよい。
【００１１】
したがって、このようなライナープレート付設用足場設置装置によれば、第１の構成部材により第２の構成部材をライナープレートの壁面脇において上下位置を調節して固定すれば、第２の構成部材の張出部が所望の高さにおいてライナープレートから離れる方向へ突出して足場板を載置させることができるので、このような足場設置装置を複数取り付けることで、ライナープレートの壁面脇において、張出部間に足場板を載置してライナープレートの周方向に足場を設置することが可能となる。
【００１２】
ここで、第１の構成部材の位置調整部に上下方向に複数の通孔を形成し、第２の構成部材の基体部に形成された通孔と前記位置調整部の任意の通孔とを整合させて、整合させた両通孔に固定具を挿着させることで基体部を位置調整部に着脱可能に固定するようにしてもよい。
【００１３】
このような構成によれば、第２の構成部材の張出部に対し足場板を載置させるにあたり、足場の高さを足場板が傾斜面に当たらないように調整することができ、しかも、隣り合う足場設置装置同士では一方の第２の構成部材の張出部の高さを他方の第２の構成部材の張出部の高さよりも上下にずらすことで、足場板の端同士が重なるような場合でも足場板が斜めになることが回避される。
【００１４】
以上の構成の具体的態様としては、第１の構成部材の係止固定部を、位置調整部の上部においてライナープレートの上端部のフランジに係止可能に突設された当接部と、この当接部の先端からライナープレートの壁面に沿って下方へ延び、位置調整部と共にライナープレートを挟持する差し込み部とを有して構成し、前記当接部を前記フランジに固定手段にて固定させる構成が考えられる。
【００１５】
このような構成においては、第１の構成部材の位置調整部を、上下に延設される長尺かつ平板状に形成し、第２の構成部材の基体部を、位置調整部に重ね合わせ可能に上下に延設された長尺かつ平板状に形成してもよい。
【００１６】
また、他の具体的態様としては、第１の構成部材の係止固定部を、前記位置調整部の上部においてライナープレートの上端部のフランジに係止可能に突設された当接部により構成し、この当接部を前記フランジに固定手段にて固定させるようにしてもよい。
【００１７】
このような構成においては、第１の構成部材の位置調整部を、上下に延設された対をなすガイド板によって構成し、第２の構成部材の基体部を、前記ガイド板間に上下に摺動可能に収容される角材によって構成するとよい。
【００１８】
更に、本発明に係るライナープレート付設用足場設置装置は、第１及び第２の構成部材がライナープレートに対して複数装着され、隣り合う２つの第２の構成部材のポール装着部に、対をなすポールとこれらポール間に架設された昇降用足場とを有して構成された梯子の前記ポールを装着させるようにしてもよく、第１及び第２の構成部材が前記ライナープレートに対して複数装着され、隣り合う２つの第１の構成部材の前記ポール装着部に、ポールを連結して構成された対をなす昇降用手摺りの前記ポールを装着させるようにしてもよい。ここで、梯子や昇降用手摺りのポールは、第２の構成部材のポール装着部に予め固定されるものであっても、着脱可能に装着されるものであってもよい。
【００１９】
これらの構成により、ライナープレートの壁面脇に設置される足場に対して昇降する場合に昇降用足場を備えた梯子を利用することができ、また、ライナープレートの壁面脇の足場からライナープレートを跨いで反対側へ移動し、又はその逆の動作をする場合には昇降用手擦りを利用することが可能となる。
【発明の効果】
【００２０】
以上のように、本発明によれば、ライナープレート付設用足場設置装置を、ライナープレートの上端部に取り付けられる第１の構成部材とこの第１の構成部材に位置調整可能に固定される第２の構成部材とを有して構成し、第１の構成部材を、ライナープレートの上端部に係止固定させる係止固定部と、上下に延設されてライナープレートの壁面に当接する位置調整部と、係止固定部に近接して設けられるポール装着部とを備えて構成し、また、第２の構成部材を、ライナープレートの壁面に沿って上下に延設され、前記位置調整部に着脱可能に固定される基体部と、この基体部から突出して足場板を載置可能とする張出部と、この張出部の突出方向先端に設けられたポール装着部とを備えて構成するようにしたので、このような第１及び第２の構成部材を、ライナープレートに２つ以上設置することで、ライナープレートの外側または内側のいずれに対しても壁面脇に任意の高さの足場を載置することが可能となる。
【００２１】
また、足場設置装置を構成する第２の構成部材の張出部に対して足場を載せるにあたり、ライナープレートの最上部から足場までの寸法を足場板が傾斜面に当たらないように調整することができ、しかも、隣り合う足場設置装置同士では張出部を相対的に上下にずらすことが可能となるので、一方の張出部の高さを他方の張出部の高さよりも低くすることにより、足場の端同士が重なるために足場が斜めになって作業環境が悪くなることを回避することが可能となる。
さらに、第１の構成部材と第２の構成部材には、それぞれポール装着部が設けられているので、手摺り用のポールを設置することが可能となり、足場に乗って作業する者が転落する危険性を回避することが可能となる。
【００２２】
特に、第１の構成部材の係止固定部を、ライナープレートの上端部のフランジに係止可能に突設された当接部と、この当接部の先端からライナープレートの壁面に沿って下方へ延びて、位置調整部と共にライナープレートを挟持する差し込み部とを有して構成し、当接部をライナープレートのフランジに固定手段にて固定するようにすれば、固定手段による固定が緩い場合や固定手段による固定を失念した場合でも脱落する恐れがない固定が可能となり、また、第１の構成部材の位置調整部を、上下に延設される長尺かつ平板状に形成し、第２の構成部材の基体部を、位置調整部に重ね合わせ可能に上下に延設された長尺かつ平板状に形成することで、簡易な構造とすることが可能となる。
【００２３】
また、特に、第１の構成部材の係止固定部を、位置調整部の上部においてライナープレートの上端部のフランジに係止可能に突設された当接部により構成し、当接部をフランジに固定手段にて固定するようにすれば、フランジへの固定構造を簡易な構造とすることができ、また、第１の構成部材の位置調整部を、上下に延設された対をなすガイド板によって構成し、第２の構成部材の基体部を、ガイド板間に上下に摺動可能に収容される角材によって構成することで、第１の構成部材に対して第２の構成部材を上下にスライドさせて固定させることができるので、第１の固定部材と第２の固定部材との固定作業が容易となり、また、対をなすガイド板で第２の固定部材の基体部が固定されるので、強固な固定構造を得ることが可能となる。
【００２４】
さらに、第１及び第２の構成部材をライナープレートに対して複数装着し、隣り合う２つの第２の構成部材のポール装着部に、対をなすポールとこれらポール間に架設された昇降用足場とを有して構成された梯子の前記ポールを装着させることで、ライナープレートの壁面脇の足場に対して昇降する場合には、この梯子を利用することができ、また、第１及び第２の構成部材をライナープレートに対して複数装着し、隣り合う２つの第１の構成部材のポール装着部に、ポールを連結して構成された対をなす昇降用手摺りの前記ポールを装着させることで、ライナープレートの壁面脇の足場からライナープレートを跨いで反対側へ移動し、又はその逆の動作をする場合には昇降用手擦りを利用することが可能となり、梯子や昇降用手摺りを設けるために足場設置装置の構成部材を利用することができるので、ライナープレートへの設置時間が全体的に短縮化され、器具の共通化によりコストの削減も図ることが可能となる。
【図面の簡単な説明】
【００２５】
【図１】図１は、この発明に係るライナープレート付設用足場設置装置の第１の構成例を示す図であり、ライナープレート付設用足場設置装置をライナープレート外側の壁面脇に取り付けた状態を示す断面図である。
【図２】図２は、同上のライナープレート付設用足場設置装置を構成する第１の構成部材及び第２の構成部材を示す斜視図である。
【図３】図３（ａ）は、同上のライナープレート付設用足場設置装置を複数に取り付けて、各ライナープレート付設用足場設置装置間に足場を載置した状態を示す平面図であり、図３（ｂ）は、ライナープレートを示す図である。
【図４】図４は、ポール装着部に取り付けられる付属部材の取付例を示す斜視図である。
【図５】図５は、同上のライナープレート付設用足場設置装置の変形例を示す断面図である。
【図６】図６は、この発明に係るライナープレート付設用足場設置装置の第２の構成例を示す図であり、ライナープレート付設用足場設置装置をライナープレート外側の壁面脇に取り付けた状態を示す図である。
【図７】図７は、図６のライナープレート付設用足場設置装置を構成する第１の構成部材及び第２の構成部材を示す斜視図である。
【図８】図８（ａ）は、構成部材の係止固定部の当接部がライナープレートの上端のフランジに係止されている状態を示す斜視図であり、図８（ｂ）は基体部の下部の調整ボルトがライナープレートの壁面に当接している状態を示す斜視図である。
【図９】図９は、図６のライナープレート付設用足場設置装置の張出部の高さを調整する範囲を説明する図であり、（ａ）は張出部を最も上に設置した状態を示す側面図、（ｂ）は張出部を最も下に設置した状態を示す側面図である。
【図１０】図１０は、図６のライナープレート付設用足場設置装置をライナープレートに複数取り付け、各ライナープレート付設用足場設置装置間に足場板を載置した状態を示す平面図であり、（ａ）はライナープレートの外側壁面脇に足場を設置した状態を示す図であり、（ｂ）はライナープレートの内側壁面脇に足場を設置した状態を示す図である。
【図１１】図１１は、ライナープレートに取り付けられた足場設置装置を用いて、足場板を水平に設置する例について説明する説明図である。
【発明を実施するための形態】
【００２６】
以下、この発明の実施形態を添付図面に基づいて詳細に説明する。
【実施例１】
【００２７】
図１から図３において、この発明に係るライナープレート付設用足場設置装置１の第１の実施例が示されている。このライナープレート付設用足場設置装置１は、図１に示されるように、傾斜面２に設置された仮設構造物３を構成するライナープレート４の壁面脇に沿って足場を設置するのに好適なもので、図２に示されるように、構成部材９と構成部材２１とを組み合わせることにより形成されている。
【００２８】
ライナープレート４は、坑内の仮設用土留め材等として用いられるそれ自体公知のもので、図３（ａ）に示されるような円形立杭に利用するライナープレート４であれば、図３（ｂ）に示されるように、正面視が矩形で平面視が円弧状（Ｃ形）の薄鋼板を波付け加工してコルゲート状に形成すると共に四辺に組立用のフランジ４ａ〜４ｄを設けて構成されている。この例では、上下両端部に設けられるフランジ（周方向フランジ４ａ，４ｂ）は波付き薄鋼板と一体的に設けられ、左右両端部に設けられるフランジ（軸方向フランジ４ｃ，４ｄ）は鋼帯を波付き薄鋼板の側面に溶接して形成されている。これらフランジ（軸方向フランジ及び周方向フランジ４ａ〜４ｄ）のそれぞれには、複数の連結用ボルト孔５が穿設され、上下左右方向にライナープレート４をフランジ同士で突き合わせて連結用ボルト孔５を介してボルト接合することで（図１に示されるように、連結用ボルト孔５にボルト７を挿通させてこのボルト７にナット８を螺合して締め付けることで）円筒状の仮設構造物３を組み立てることができるようになっている。
【００２９】
即ち、例えば、ライナープレート４が８分の１円弧状（Ｃ形）に形成されている場合には、円形立杭用の円筒状仮設構造物を形成するために、８つのライナープレート４を周方向に順次組み付けて筒状体６とし、この筒状体６をその軸方向に多段に積み重ねて所望の高さに設定する。ここで、鉄塔基礎工事で用いられる立坑の一般的な直径寸法は、２ｍ〜４ｍであり、ライナープレート４の軸方向に沿った幅は約５０ｃｍとなっている。
【００３０】
このうち、ライナープレート付設用足場設置装置１の構成部材２１は、図２に示されるように、ライナープレート4の上端部に係止固定させる係止固定部２５と、位置調整部２２と、係止固定部２５の近傍に設けられたポール装着部２８とを有して構成されている。
【００３１】
このうち、位置調整部２２は、ライナープレート４の壁面に上下方向の広い範囲で接することができる厚みの薄い平板状に形成され、その表面には、長手方向に所定の間隔で穿設された複数（この実施例では６個）の通孔２３が形成されている。位置調整部２２の下端にはライナープレート４側に延びる係止片２４が延びており、ライナープレートの壁面に形成される凹部に差し込み可能となっている。
【００３２】
係止固定部２５は、位置調整部２２の上端からライナープレート４に対して厚み方向に沿って延び、ライナープレート４の上端部のフランジ４ａに係止可能に突設された当接部２５ａと、この当接部２５ａの先端からライナープレート４の壁面に沿って下方へ延びる差し込み部２５ｂとにより構成されている。当接部２５ａの長さは、ライナープレート４のフランジ４ａの幅と略同じであることが好適である。この当接部２５ａには、ライナープレート４の頂部のフランジ４ａに載置した際にフランジ４ａの連結用ボルト孔５と連通する通孔２６が形成されている。また、差し込み部２５ｂの下端部には、ライナープレート４側に延びる係止片２７が延びており、ライナープレート４の壁面に形成された凹部に差し込み可能となっている。この係止片２７は、図１に示されるように、位置調整部２２をライナープレート４の外側壁面に当接させるように設置する場合には、位置調整部２２の係止片２４が差し込まれる外側壁面の凹部に対し、ライナープレート４の軸方向（この実施例では上側）にずれた位置にある内側壁面の凹部に差し込まれている。
【００３３】
ポール装着部２８は、位置調整部２２の上端、即ち、位置調整部２２のライナープレート４が当接する側とは反対側の面に固定された基台２８ａと、この基台２８ａの上部に固定されたポール装着用パイプ２８ｂとで構成されており、このポール装着用パイプ２８ｂ及び基台２８ａにポール３０を上方から挿入して側方に設けられたポール固定用ボルト２９を締め付けることによりポール３０をポール装着部２８に着脱可能に固定するようにしている。
【００３４】
尚、装着されるポール３０が安全ロープ等を取り付けるためのポールである場合には、先端部にロープ等の紐状部材３８（図３に示す）を挿通させる貫通孔３１を備えたポールを用いるとよい。また、ポール３０は、ポール装着用パイプ２８ｂ等に対して着脱可能に取り付けられる構成が望ましいが、あらかじめポール装着用パイプ２８ｂ等に固装されているものであっても良い。
【００３５】
これに対して、ライナープレート付設用足場設置装置１の構成部材９は、図２に示されるように、基体部１０と張出部１３とポール装着部１６とにより構成されている。
【００３６】
基体部１０は、上下に延びる長尺かつ厚みの薄い平板状のもので、その長手方向の上端近傍から中程にかけて複数（この実施例では６個）の通孔１１が形成され、また、その長手方向の下端にはライナープレート４の壁面の凸状部と係合可能な係合部１２が形成されている。この例において、係合部１２は、基体部１０から斜め上方に向けて延びる延出片１２ａと基体部１０から斜め下方に向けて延びる延出片１２ｂとから構成されている。尚、基体部の通孔１１は、位置調整部２２の通孔２３と同じ内径寸法を有し、同じピッチに形成されている。
【００３７】
また、張出部１３は、基体部１０の通孔１１と係合部１２との間に位置する部位から略垂直にライナープレートから遠ざかる方向へ張り出し、上方に平坦な足場設置面１４ａを有するメインフレーム１４と、基体部１０の下端から係合部１２が設けられた側とは反対側に斜め上方へ張り出すサブフレーム１５とを備え、メインフレーム１４に後述する足場板を載せ、サブフレーム１５に補強用支持体としての役割を持たせている。尚、メインフレーム１４の強度が十分であればサブフレーム１５は設けなくても良い。
【００３８】
ポール装着部１６は、張出部１３のメインフレーム１４及びサブフレーム１５の双方の先端部が連接される基台１６ａと、この基台１６ａから基体部１０の延出方向、すなわちライナープレート４の軸方向に沿って延びるポール装着用パイプ１６ｂとで構成されており、このポール装着用パイプ１６ｂ及び基台１６ａにポール１８を挿入して側方に設けられたポール固定用ボルト１７を締め付けることによりポール１８をポール装着部１６に固定するようにしている。
【００３９】
尚、装着されるポール１８が安全ロープを取り付けるためのポールである場合には、先端部にロープ等の紐状部材３７（図３に示す）を挿通させる貫通孔１９を備えたポールを用いるとよい。また、ポール１８は、ポール装着用パイプ１６ｂ等に対して着脱可能に取り付けられる構成が望ましいが、あらかじめポール装着用パイプ１６ｂ等に固装されているものであっても良い。
【００４０】
以上の構成部材を用いて、図１に示すような仮設構造物３の傾斜面下側のライナープレートの外側壁面脇に上述したライナープレート付設用足場設置装置１を用いて足場を設置する場合には、以下のような作業を行えばよい。
【００４１】
まず、構成部材２１を、係止片２４と係止片２７との間を若干開いた状態にしつつ、仮設構造物３の開口側（ライナープレート４の上方）から、当該ライナープレート４を挟持するかたちで、当接部２５ａがライナープレート４の頂部のフランジ４ａに突当するまで降ろしていく。これにより、係止片２４と係止片２７とは、復元力等によりライナープレート４の外側壁面の凹部と内側壁面の凹部に差し込まれて確実に係合され、構成部材２１の脱落が防止される。
【００４２】
次に、構成部材２１を、ライナープレート４の周方向に沿って動かし、所望の位置に近いフランジ４ａの連結用ボルト孔５に当接部２５ａの通孔２６を連通させ、ボルト７を上側から両孔２６、６に挿通させてナット８を螺合させて締め付ける。これにより、構成部材２１がライナープレート４の周方向に沿って不用意に動くことが防止される。しかも、構成部材２１とライナープレート４とを固定するボルト７及びナット８は、ライナープレート４同士を固定するボルト７とナット８とを用いることができるため、部品の共通化を図ることが可能となる。
【００４３】
更に、構成部材９の基体部１０の係合部１２をライナープレート４の外側壁面の凸部に係合させ、更には、位置調整部２２の通孔２３がライナープレート４の外側壁面の凸部で塞がれない条件を満たすように、基体部１０の通孔１１と位置調整部２２の通孔２３とをそれぞれ選択し、選択された基体部１０の通孔１１と位置調整部２２の通孔２３とが互いに連通するように構成部材９の基体部１０を構成部材２１の位置調整部２２に重ね合わせ、しかる後に、両通孔１１、２３にボルト３２を挿通させ、これにナット３３を螺合させて締め付ける。
【００４４】
このようにして、一組の構成部材２１，９を用いて、ライナープレート４に１つのライナープレート付設用足場設置装置１が取り付けられた後に、所定の間隔を開けて他のライナープレート付設用足場設置装置１（構成部材２１，９）を取り付ける場合には、先に取り付けたライナープレート付設用足場設置装置１の構成部材９よりも足場板３５、３６の厚み分だけ、後に取り付けたライナープレート付設用足場設置装置１の構成部材９をライナープレート４の軸方向にずらして取り付ける。そして、隣り合う構成部材９の張出部１３の足場設置面１４ａに足場板３５、３６を載せていく。これにより、張出部１３の足場設置面１４ａに足場板３５、３６を載せていく際に、足場板同士が重なっても足場板３５、３６が斜めになることが回避される。
【００４５】
そして、取り付けられた各構成部材９のポール装着部１６に取り付けられたポール１８の貫通孔１９にロープ等の紐状部材３７を通していくことで外側手摺りが形成され、また、取り付けられた各構成部材２１のポール装着部２８に取り付けられたポール３０の貫通孔３１にロープ等の紐状部材３８を通していくことで内側手摺りが形成される。
【００４６】
したがって、以上の構成によれば、構成部材９は構成部材２１を介してライナープレート４に固定されて、ライナープレート付設用足場設置装置１がライナープレート４の外側壁面脇に取り付けられるので、足場板３５、３６が載置される張出部１３がライナープレート４の外側壁面から突出した状態で配置されることとなる。このため、ライナープレート４の直径寸法が小さい場合において、足場がライナープレート４の内側に配置できない場合や配置されたためにライナープレート４の内側に出入りしにくくなったり、ライナープレート４の内側での作業がやりにくくなる不便性が解消される。また、ライナープレート付設用足場設置装置の取り付け位置を現場の地形に応じて適宜調整可能となる。
【００４７】
しかも、ライナープレート４に対し足場設置面１４ａよりも外側においては、外側手摺り用のポール１８などを装着可能とするポール装着部１６が、また、ライナープレート４に対し足場設置面１４ａよりも内側においては、内側手摺り用のポール３０などを装着可能とするポール装着部２８が、張出部１３の設置と同時に配置されるので、作業の簡略化、迅速化を図ることが可能となる。更には、ライナープレート４の開口端から張出部１３までの寸法Ｌ１（図１参照）が７５ｃｍ以上ある場合には、ライナープレート４自体を内側用の手摺りとして利用することができるため、その場合には、ポール３０を作業の妨げにならないようにポール装着部２８から取り外すことが可能である。
【００４８】
ところで、上述したライナープレート付設用足場設置装置１は、地面から足場板３５、３６へ昇ったり、足場板３５、３６から地面に降りる場合、また、ライナープレート４を跨いで坑内に降りたり、坑内からライナープレート４を跨いで外側へ出る場合において、より利用しやすい構成とすることが可能である。このようなライナープレート付設用足場設置装置１の変形例について、図４及び図５を用いて説明する。但し、先の実施例と同様の構成については同一箇所に同一符号を付してその説明を省略する。
【００４９】
ライナープレート４に固定される複数のライナープレート付設用足場設置装置１のうち、隣り合う一対のライナープレート付設用足場設置装置１について、構成部材９、１１に次の機能を持たせるようにしてもよい。
即ち、構成部材９に対しては、図４及び図５に示されるように、ポール装着部１６に装着されるポール１８をその下端が傾斜面２に近接するまで下方へ伸ばし、それぞれのポール１８のポール装着部１６より下側の部分に、対をなすポール間に架設された昇降用足場３９を１つ以上（この実施例では３つ）溶接等により接合することで、隣り合う２つのライナープレート付設用足場設置装置１の構成部材９に、張出部１３から下方に延びる梯子４０を形成するようにしてもよい。
【００５０】
尚、上述した梯子４０を形成するために、１箇所のライナープレート付設用足場設置装置１に対し、作業員の横幅と略同じか若干大きな間隔を開けて、ライナープレート付設用足場設置装置１を、ライナープレート４の連結用ボルト孔の位置に依拠しないかたちで追加的に配置し（即ち、追加されたライナープレート付設用足場設置装置１の構成部材２１を、係止固定部２５のみでライナープレート４に固定するようにし）、それぞれのライナープレート付設用足場設置装置１のポール装着部１６に装着されるポール１８の下方側部位１８ａを傾斜面２に近接するまで伸ばし、この伸ばしたポール１８のポール装着部１６よりも下側の部分で、昇降用足場３９を溶接等により架設して梯子４０を構成するようにしてもよい。
【００５１】
また、上記構成部材２１のポール装着部２８に装着される内側手摺り用のポール３０に対して、ポール３０の上端側に直方体状のブロック４１を介して略水平方向に延びる寸法の短いポール４２を装着し、このポール４２の先端に直方体状のブロック４３を介して略鉛直下方向に延びる短い寸法のポール４４を装着する。これにより、隣り合う２つのライナープレート付設用足場設置装置１の構成部材２１に、所定の間隔を空けて一対の昇降用手摺り４５を設ける。
【００５２】
このような梯子４０及び昇降用手摺り４５を構成部材９，２１に予め一体に装着しておくことで、２つのライナープレート付設用足場設置装置１をライナープレート４に取り付けることにより、ライナープレート４の壁面脇に梯子４０と昇降用手摺り４５とが足場の設置と同時に備え付けられたものとなる。
【００５３】
尚、上述の構成においては、構成部材９と梯子４０、構成部材２１と昇降用手摺り４５がそれぞれ一体に設けられた例を示したが、対をなすポールとこれらポール間に架設された昇降用足場とを有して構成される梯子４０のポールを対をなす構成部材９のポール装着部１６に後から着脱可能に装着させたり、ポールを連結して構成される対をなす昇降用手摺り４５のポールを対をなす構成部材２１のポール装着部２８に後から着脱可能に装着させるようにしてもよい。
【００５４】
また、ライナープレート付設用足場設置装置１の構成部材２１の係止固定部２５の係止片２７に、図４に示されるようにネジ孔４６を設け、図５に示されるように、この係止片２７に既製品のセーフティステップ５０をボルト４８及びナット４９で固定することでライナープレート４の内側に配置するようにしても良い。これにより、作業員の昇降がより安全なものとなる。
【００５５】
尚、以上の構成においては、特に円弧状（Ｃ形）のライナープレートに適用した場合について説明したが、直線状（Ｓ形）、Ｊ形、Ｌ形のライナープレートに適用できることは言うまでもなく、また、上述の構成においては、特にライナープレートの外側壁面脇に足場を形成する例について説明したが、ライナープレートの内側壁面脇に足場を形成するために本ライナープレート付設用足場設置装置１を利用してもよい。
【実施例２】
【００５６】
図６，７において、この発明に係るライナープレート付設用足場設置１の第２の実施例が示されている。
このライナープレート付設用足場設置１も、図７に示されるように、構成部材９と構成部材２１とを組み合わせることにより構成されている。
【００５７】
このうち、構成部材２１は、ライナープレート４の上端部のフランジ４ａに係止固定させる係止固定部２５と、上下に延設されてライナープレート４の壁面に接面すると共に後述する構成部材９との固定位置を上下方向に調整可能とする位置調整部２２と、係止固定部２５に近接して設けられ、ポールを装着可能とするポール装着部２８とを有して構成されている。
【００５８】
より具体的には、構成部材２１は、上下に延びる長尺板５１を有し、位置調整部２２は、この長尺板５１に上下に延びる一対のガイド板５２を溶接等により所定の間隔で平行に立設させて構成されている。この一対のガイド板５２は、後述する構成部材９の基体部１０の幅より僅かに大きい間隔で固定されており、それぞれのガイド板５２には、上下方向に多数の通孔５３が所定の間隔で穿設されている。この例では、通孔５３のピッチは足場板３５，３６の厚み（例えば、３４ｍｍ）に合わせたピッチで上下に１８個形成されている。
【００５９】
また、係止固定部２５は、この長尺板５１の上端部をガイド板５２が設けられた側と反対側へほぼ直角に曲折して構成された当接部２５ａにより構成されている。この当接部２５ａには、図８（ａ）に示されるように、その中央にボルト止め用の通孔２６が形成され、この通孔２６をライナープレート４のフランジ４ａに形成された連結用ボルト孔５と整合させ、これら通孔２６，５にボルト７を挿通させてこのボルト７にナット８を螺合して締め付けることで構成部材２１をライナープレート４の上端のフランジ４ａに係止固定できるようにしている。
【００６０】
ポール装着部２８は、長尺板５１の上端部においてガイド板５２が設けられた側と同じ側に設けられている。このポール装着部２８は、長尺板５１に溶接又はボルト留めされた保持プレート５５にポール装着用パイプ５６を溶接等により固定したもので、ポール装着用パイプ５６には、これに挿入されるポールを固定するためのポール固定用ボルト５７が螺進退可能に取付けられている。なお、保持プレート５５には、紐取付用の専用穴５５ａが上部２個所に設けられている。
【００６１】
これに対して構成部材９は、ライナープレート４の壁面に沿って上下に延設され、構成部材２１の位置調整部２２に着脱可能に固定される基体部１０と、この基体部１０の下部に固定され、ライナープレート４から離れる方向へ突出して３５，３６を載置可能とする張出部１３と、この張出部１３の突出方向先端に設けられ、ポール１８を装着可能とするポール装着部１６とを有して構成されている。
【００６２】
より具体的には、基体部１０と張出部１３とは角材によって構成され、基体部１０は、前記一対のガイド板５２間に上下に摺動可能に収容されるもので、上部側面にボルトを挿通可能とする通孔１１が形成され、ガイド板５２間を上下に摺動させることで、通孔１１と整合するガイド板５２の通孔５３を選択できるようになっている。この例では、基体部１０の通孔１１は上下２箇所に形成され、ガイド板５２の通孔５３のピッチの倍のピッチに形成されている。
【００６３】
したがって、構成部材９は、構成部材２１に対する固定位置が基体部１０の通孔１１をガイド板５２の通孔５３と整合させることができる範囲で上下に調整可能であり、図９（ａ）に示す最も上に設置された状態から図９（ｂ）に示す最も下に設置された状態に至る範囲で上下に１６段階に微調整できるようになっている。
【００６４】
また、張出部１３は、基体部１０の下端部からほぼ垂直に突出するように補強板５８を介して単一のフレーム材５９を溶接すること等により固定されているもので、上方に平坦な足場設置面５９ａを有し、上下面には、足場板３５，３６を固定する留め金具６０を挿通させる上下方向に貫通された長孔６１が軸方向の３箇所に形成されている。
【００６５】
ポール装着部１６は、張出部１３の先端に補強板６２を介してポール装着用パイプ６３を溶接すること等により固定して構成されているもので、ポール装着用パイプ６３には、これに挿入されるポールを固定するためのポール固定用ボルト６４が螺進退可能に取付けられている。
【００６６】
さらに、基体部１０のライナープレート４と対峙する下端部近傍には、基体部１０の傾き、即ち、張出部１３の傾きを調整するための調整ボルト６５が設けられている。この調整ボルト６１は、図８（ｂ）に示されるように、螺合量を調整することによりライナープレート４の凹凸表面に当接するボルト頭部の突出量を調節し、基体部１０の下部とライナープレート４との距離を調節することで、張出部１３の傾きを平行に調整するようにしている。
尚、上述の構成において、前記実施例と同様の構成については、同一箇所に同一符号を付して説明を省略する。
【００６７】
以上の構成において、ライナープレート付設用足場設置装置１をライナープレート４に取り付けるには、構成部材２１の係止固定部２５の当接部２５ａをライナープレート４の上端のフランジ４ａに係止させ、所望の位置に近いフランジ４ａの連結用ボルト孔５に当接部２５ａのネジ孔２６を連通させ、ボルト７を上側から両孔２６、５に挿通させてナット８を螺合させて締め付ける。これにより、構成部材２１がライナープレート４の周方向に沿って不用意に動くことが防止される。
その後、構成部材９の基体部１０を位置調整部２２のガイド板５２間に収容して上下に摺動させて所望の位置にてガイド板５２と基体部１０とをボルト止めし、構成部材９を構成部材２１に固定する。しかる後に、調整ボルト６１の螺合量を調節して張出部１３が水平となるように調節する。
【００６８】
このような作業をライナープレート付設用足場設置装置１（構成部材２１，９）を取り付ける各箇所で行い、しかる後に、張出部１３に足場板３５，３６を載置してこの足場板３５．３６を張出部１３の長孔６１を介して取り付けられる留め金具６０により固定する。そして、用途に応じてポールを備えた付属部材（手摺り用ポール、梯子、昇降用手摺り等）のポールをポール装着部２８，１６に取り付ければ、足場装置の組み付けは完了する。
尚、落下防止用の手摺りの設置が必要となる場合には、足場の高さに応じて保持プレート５５に形成された専用穴５５ａを用いて手摺り用の紐状部材３８を取り付けるようにしてもよい。このような専用穴５５ａを利用して紐状部材３８を取り付ければ、わざわざポール装着部２８にポール３０を取り付け、その貫通孔３１に紐状部材３８を通さなくても済むため、内側手摺りの設置が容易となる。
【００６９】
したがって、このようなライナープレート付設用足場設置装置１を用いれば、図１０（ａ）に示されるように、仮設構造物３のライナープレート４の外側に足場を形成する場合においても、仮設構造物３のライナープレート４の内側に足場を形成する場合においても、構成部材２１をライナープレート４の上端のフランジ４ａの適所に係止固定部２５の当接部２５ａを係止させてボルト止めし、しかる後に構成部材９を上下方向の位置を調整して構成部材２１に固定し、隣り合う構成部材９の張出部１３の足場設置面５９ａに足場板３５，３６を固定する同様の作業を行えば足場を形成できるので、ライナープレート４の内外に足場を設置する場合に同じ部材を共用することが可能となる。
【００７０】
また、上述のライナープレート付設用足場設置装置１によれば、位置調整部２２に足場板の厚みに等しいピッチで通孔５３が形成されているので、図１１に示されるように、足場板３５，３６を重ね合わせて固定するような場合でも、足場板３５，３６が水平になるように張出部１３の高さを構成部材９の高さ位置を微調整することで調整可能となる。
【００７１】
さらに、上述のライナープレート付設用足場設置装置１によれば、張出部が水平方向に延びるフレーム材５９のみで構成されており、第１の実施例のようにフレーム材５９を保持するサブフレームがないので、サブフレームが設置箇所の固定物等と干渉して足場設置装置を設置できなくなる不都合がなくなり、設置箇所を制限を緩和することが可能となる。また、サブフレームがない分、構成部材９の重量を減らすことができ、足場設置装置を軽量化にすることが可能となる。さらに、サブフレームがないことから構成部材９の上下の調整範囲も大きく確保することが可能となる。
【００７２】
さらにまた、基体部１０の下部に張出部１３の傾きを調整する調整ボルト６５が設けられているので、ライナープレート４の凹凸のピッチと位置調整部２２の通孔５３のピッチとが異なる場合でも、張出部１３を水平に調節することが可能となる。
【００７３】
尚、この例においても、ポール装着部２８，１６に対して紐状部材を通す貫通孔３１，１９が形成されたポール３０，１８を取り付けるようにしても、図４で示されるような対をなすポールとこれらポール間に架設された昇降用足場とを有して構成された梯子４０のポールを着脱可能に装着させるようにしても、また、ポールを連結して構成された対をなす昇降用手摺り４５のポールを着脱可能に装着させるようにしてもよい。
【符号の説明】
【００７４】
１  ライナープレート付設用足場設置装置
４  ライナープレート
４ａ，４ｂ，４ｃ，４ｄ  フランジ
９  構成部材（第２の構成部材）
１０  基体部
１１  通孔
１３  張出部
１６  ポール装着部
１８  ポール
２１  構成部材（第１の構成部材）
２２  位置調整部
２３  通孔
２５  係止固定部
２５ａ  当接部
２５ｂ  差し込み部
２８  ポール装着部
３０  ポール
４０  梯子
４５  昇降用手摺り
５２  ガイド板
５３  通孔
【図１】
2010150909.tif 000003
【図２】
2010150909.tif 000004
【図３】
2010150909.tif 000005
【図４】
2010150909.tif 000006
【図５】
2010150909.tif 000007
【図６】
2010150909.tif 000008
【図７】
2010150909.tif 000009
【図８】
2010150909.tif 000010
【図９】
2010150909.tif 000011
【図１０】
2010150909.tif 000012
【図１１】
2010150909.tif 000013